(57)【要約】【課題】動作音が静かで、複数の発熱部位をエネルギー効率良く冷却できるプロジェクタを提供すること。【解決手段】プロジェクタ１００は、光源部５の駆動電力（輝度）に応じて、分配部であるルーバ６２における複数の羽板６３の向きを変化させることにより、ファンＦ４による冷却風Ｗａの風量を、電源部４０の冷却風Ｗ１と、ランプ駆動部４５の冷却風Ｗ２とに分配する。そして、電源部４０の冷却風Ｗ１と、ランプ駆動部４５の冷却風Ｗ２との風量のバランスは、電源部４０およびランプ駆動部４５の温度特性に合わせて最適化されることから、ファンＦ４による冷却風Ｗａの総風量を抑えることが可能となり、ファンＦ４の回転数を下げることができる。【選択図】図２
2007256920.tif 000002
【特許請求の範囲】
【請求項１】
光を発する光源部と、
前記光源部に駆動電力を供給するランプ駆動部と、
少なくとも前記ランプ駆動部に電力を供給する電源部と、
前記ランプ駆動部および前記電源部に冷却風を流通させるファンと、
前記ファンによる冷却風の風量を、前記ランプ駆動部と、前記電源部とに分配するとともに、前記ランプ駆動部および前記電源部に分配する冷却風の風量を変更可能とする分配部と、
前記光源部に供給される駆動電力に応じて、前記分配部を駆動制御し、前記ランプ駆動部および前記電源部に分配される冷却風の風量を変更させる分配制御部とを備えることを特徴とするプロジェクタ。
【請求項２】
前記分配制御部は、前記駆動電力が大きくなるほど、前記電源部に分配される冷却風の風量が増加するように前記分配部を駆動制御することを特徴とする請求項１に記載のプロジェクタ。
【請求項３】
前記ランプ駆動部および前記電源部は、隣接して配置され、
前記ファンは、前記ランプ駆動部および前記電源部に対向して配置され、
前記分配部は、複数の羽板を有し、前記ランプ駆動部および前記電源部と、前記ファンとの間に配置されるルーバであり、当該複数の羽板の向きを変更することにより、前記冷却風の風量を変更可能とすることを特徴とする請求項１または２に記載のプロジェクタ。
【請求項４】
前記ランプ駆動部および前記電源部は、隣接して配置され、
前記ファンは、前記ランプ駆動部および前記電源部に対向して配置され、
前記分配部は、前記ファンの姿勢を変更するロータリーソレノイドであり、当該ロータリーソレノイドを駆動することにより、前記冷却風の風量を変更可能とすることを特徴とする請求項１または２に記載のプロジェクタ。
【請求項５】
前記ランプ駆動部および前記電源部は、隣接して配置され、
前記ファンは、前記ランプ駆動部および前記電源部に対向して配置され、
前記分配部は、前記ファンの位置を、前記ランプ駆動部および前記電源部に相対する面に沿って移動させるリニアアクチュエータであり、当該リニアアクチュエータを駆動することにより、前記冷却風の風量を変更可能とすることを特徴とする請求項１または２に記載のプロジェクタ。
【請求項６】
前記ランプ駆動部および前記電源部は、隣接して配置され、
前記ファンは、前記ランプ駆動部および前記電源部に対向して配置され、
前記分配部は、前記ランプ駆動部および前記電源部と、前記ファンとの間に配置され、前記ランプ駆動部および前記電源部に相対する面に沿って移動されることにより、前記ファンの通風口の大きさを変更する仕切り板であり、当該仕切り板を移動させることにより、前記冷却風の風量を変更可能とすることを特徴とする請求項１または２に記載のプロジェクタ。
【請求項７】
前記光源部を冷却するファンと、
前記光源部からの光を、画像を表す変調光に変調する光変調部を冷却するファンと、
複数の前記ファンにより送風され、前記各部の熱量を奪った空気を外部に排出するファンとを備えることを特徴とする請求項１〜６のいずれか一項に記載のプロジェクタ。
【発明の詳細な説明】
【技術分野】
【０００１】
本発明は、画像を拡大投写するプロジェクタに係り、特にプロジェクタ内部の発熱部位を冷却する技術に関する。
【背景技術】
【０００２】
高圧水銀ランプや、メタルハライドランプなどの放電ランプを光源とし、光源が発する光を、光変調素子により画像信号に応じて変調し、変調された画像を表す変調光を拡大投写するプロジェクタが知られている。このようなプロジェクタの内部には、複数の発熱部位がある。具体的には、光源である放電ランプ、当該放電式ランプを点灯させ、さらに点灯状態を維持するランプ駆動部、透過式液晶ライトバルブなどの光変調素子、プロジェクタ各部に電力を供給する電源部などである。また、これらの発熱部位の温度がそれぞれの定格温度値を超えないように、冷却手段として複数のファンを備えたプロジェクタが提案されている。
例えば、特許文献１における液晶３板式のプロジェクタは、光源、光変調素子、ランプ駆動部、および電源部それぞれに専用の冷却用のファンを備えている。特に、光変調素子については、赤、緑、青色光用の液晶ライトバルブごとに専用のファンがあり、計３つのファンが設けられていた。また、前記複数のファンが送風し各発熱部位で熱せられた空気をプロジェクタ外部に放出するための大型のファンを含めると、合計７つの冷却ファンが備えられていた。
【０００３】
図８は、従来のプロジェクタにおける冷却構成を主体とした概略平面図である。
しかし、１台のプロジェクタに７つものファンが備えられていると、部品点数が多く、コストが高いばかりでなく、騒音が大きく、また、消費電力が高くなってしまうという問題があった。図８のプロジェクタ２００は、このような問題点を解決するために考案されたものである。
プロジェクタ２００は、光源部５を冷却するファンＦ１と、３枚の液晶ライトバルブ２３Ｒ，２３Ｇ，２３Ｂを含む光変調部３０を冷却する２つのファンＦ２，Ｆ３と、電源部４０とランプ駆動部４５とをセットとして一緒に冷却するファンＦ４と、前記複数のファンが送風し各発熱部位で熱せられた空気をプロジェクタ外部に放出するためのファンＦ５との、合計５つのファンを備えていた。特に、電源部４０とランプ駆動部４５とについては、両部をセットとして隣接して設け、１つのファンＦ４により両部を一緒に冷却する構成を取っていた。具体的には、ファンＦ４が送風する冷却風Ｗａを、電源部４０に向かう冷却風Ｗ１と、ランプ駆動部４５に向かう冷却風Ｗ２とに、略等分配していた。
これらの構成により、プロジェクタ２００は、ファンの数量を減らしながらも必要な冷却を行い、さらに騒音および消費電力の削減を計っていた。
【０００４】
また、プロジェクタ２００は、投写環境に合わせた複数のカラーモードを設定可能に設けられており、選択されたカラーモードに応じて光源部５の輝度を調整していた。カラーモードには、例えば、明るい室内で視聴するのに適したダイナミックモードや、照明を暗くした環境で深みのある画像を楽しむシアターモードなどがあり、ダイナミックモードが選択された場合は、光源部５の放電ランプ１の駆動電力を高くして輝度を上げていた。同様に、シアターモードが選択された場合は、放電ランプ１の駆動電力を低くして輝度を下げていた。
このように、カラーモードの選択に合わせて放電ランプ１への電力供給量が変化するため、電源部４０およびランプ駆動部４５の発熱度合いも変化していた。このため、ファンＦ４の回転数も、カラーモードに合わせて変化させ、電源部４０およびランプ駆動部４５を適切に冷却するようにしていた。
【０００５】
【特許文献１】特開２０００−２２１５９９号公報
【発明の開示】
【発明が解決しようとする課題】
【０００６】
しかしながら、従来のプロジェクタ２００では、電源部４０およびランプ駆動部４５を１つのファンＦ４による風量を略等分配して冷却していたため、電源部４０とランプ駆動部４５とで温度差があると、温度の高い方に合わせてファンＦ４を駆動する必要があった。このため、ファンＦ４の回転数が上がり、騒音および駆動電力が大きくなってしまっていた。
【０００７】
図９は、従来のプロジェクタにおける、光源部の駆動電力（輝度）に応じた電源部およびランプ駆動部の温度状況などを示したグラフである。
グラフｇにおいて、横軸は放電ランプ１の駆動電力（輝度）、縦軸（左）は電源部４０およびランプ駆動部４５の温度、縦軸（右）はファンＦ４の駆動電圧をそれぞれ示している。また、実線および破線の折れ線グラフは、それぞれが電源部４０およびランプ駆動部４５の温度変化を示している。棒グラフは、ファンＦ４の駆動電圧を示している。なお、放電ランプ１の駆動電力は輝度と、ファンＦ４の駆動電圧は風量と、それぞれ比例関係にあるため、放電ランプ１の駆動電力を輝度として、ファンＦ４の駆動電圧を風量として捕らえることができる。
【０００８】
シアターモードが選択され低輝度となっている場合、ランプ駆動部４５の方が電源部４０より温度が高くなるため、ファンＦ４は、温度の高いランプ駆動部４５の冷却風Ｗ２に必要な風量を基準として定められた駆動電圧（７．５Ｖ）で回転していた。また、ダイナミックモードが選択され高輝度となっている場合、電源部４０の方がランプ駆動部４５より温度が高くなるため、ファンＦ４は、温度の高い電源部４０の冷却風Ｗ１に必要な風量を基準として定められた駆動電圧（９Ｖ）で回転していた。
また、ファンＦ４は、外部から効率良く吸気するためにプロジェクタ２００の外装面近くに設けられているため、プロジェクタ内部に位置するファンＦ２，Ｆ３などと比べて、防塵フィルタ（図示せず）を介してはいるものの、外部に動作音が漏れやすかった。
【０００９】
なお、ランプ駆動部４５の温度特性が放電ランプ１の駆動電力に反比例しているのは、駆動電圧を下げることにより放電ランプ１の光量を抑えたとしても、点灯を維持するため、すなわち、放電状態を維持するためには、損失電力を含めて一定の電力量が必要であるという放電ランプ１の性質に起因している。このため、ランプ駆動部４５の負荷は、駆動電圧を下げてもさほど低くならない。さらに、冷却に必要な風量は確保されているものの、低輝度となったことによりファンＦ４の駆動電圧が下がり、冷却風Ｗ２の風量が減少していることも要因の一つである。
このように、従来のプロジェクタ２００では、異なる温度特性を持つ電源部４０と、ランプ駆動部４５とを、温度の高い方を基準とした駆動電圧で冷却していたため、騒音が大きく、また、エネルギー利用効率が良くなかった。
【００１０】
上記課題を解決するために、本発明では、動作音が静かで、複数の発熱部位をエネルギー効率良く冷却できるプロジェクタを提供することを目的とする。
【課題を解決するための手段】
【００１１】
（１）上述した目的を達成するために、本発明のプロジェクタは、光を発する光源部と、前記光源部に駆動電力を供給するランプ駆動部と、少なくとも前記ランプ駆動部に電力を供給する電源部と、前記ランプ駆動部および前記電源部に冷却風を流通させるファンと、前記ファンによる冷却風の風量を、前記ランプ駆動部と、前記電源部とに分配するとともに、前記ランプ駆動部および前記電源部に分配する冷却風の風量を変更可能とする分配部と、前記光源部に供給される駆動電力に応じて、前記分配部を駆動制御し、前記ランプ駆動部および前記電源部に分配される冷却風の風量を変更させる分配制御部とを備えることを特徴とする。
【００１２】
前述した通り（図９参照）、電源部の発熱特性は光源部の駆動電力に略比例した特性を示し、ランプ駆動部の温度特性は光源部の駆動電力に略反比例した特性を示す。このため、光源部の駆動電力が低いときに、ランプ駆動部に分配する風量を増やすことができれば、ファンの回転数を下げることができる。同様に、光源部の駆動電力が高いときには、電源部に分配する風量を増やすことにより、ファンの回転数を下げることができる。
この構成によれば、分配制御部は、光源部に供給される駆動電力に応じて分配部を駆動制御し、ランプ駆動部および電源部に分配される冷却風の風量を変更させることから、ファンによる冷却風の総風量を、電源部およびランプ駆動部の温度特性に合わせて最適に分配することができる。
よって、ファンの回転数を下げられることから、騒音レベルが低くなるとともに、消費電力を削減することができる。
従って、動作音が静かで、複数の発熱部位をエネルギー効率良く冷却できるプロジェクタを提供することができる。
【００１３】
（２）本発明のプロジェクタによれば、前記分配制御部は、前記駆動電力が大きくなるほど、前記電源部に分配される冷却風の風量が増加するように前記分配部を駆動制御することが好ましい。
【００１４】
この構成によれば、分配制御部は、光源部の駆動電力が大きくなる（高くなる）ほど、電源部に分配される冷却風の風量を増加するように分配部を駆動制御する。言い換えると、分配制御部は、光源部の駆動電力が小さくなる（低くなる）ほど、ランプ駆動部に分配される風量を増加するように分配部を駆動制御する。すなわち、分配制御部は、ランプ駆動部および電源部の温度状況を、相関関係のある光源部の駆動電力量から判断し、各駆動電力量において温度が高くなっている部位への冷却風の風量を増やしている。
よって、ファンの回転数を下げても、総風量を有効に活用して必要な冷却能力を確保することができる。さらに、ファンの回転数を下げられることから、騒音レベルが低くなるとともに、消費電力を削減することができる。
従って、動作音が静かで、複数の発熱部位をエネルギー効率良く冷却できるプロジェクタを提供することができる。
【００１５】
（３）本発明のプロジェクタによれば、前記ランプ駆動部および前記電源部は、隣接して配置され、前記ファンは、前記ランプ駆動部および前記電源部に対向して配置され、前記分配部は、複数の羽板を有し、前記ランプ駆動部および前記電源部と、前記ファンとの間に配置されるルーバであり、当該複数の羽板の向きを変更することにより、前記冷却風の風量を変更可能とすることが好ましい。
【００１６】
この構成によれば、分配部が、複数の羽板を有するルーバであるので、複数の羽板の向きを変更することにより、ランプ駆動部および電源部に分配する冷却風の風量を変更可能とすることができる。
従って、シンプルな構成で、複数の発熱部位をエネルギー効率良く冷却できるプロジェクタを提供することができる。
【００１７】
（４）本発明のプロジェクタによれば、前記ランプ駆動部および前記電源部は、隣接して配置され、前記ファンは、前記ランプ駆動部および前記電源部に対向して配置され、前記分配部は、前記ファンの姿勢を変更するロータリーソレノイドであり、当該ロータリーソレノイドを駆動することにより、前記冷却風の風量を変更可能とすることが好ましい。
【００１８】
この構成によれば、分配部は、ロータリーソレノイドであるので、ロータリーソレノイドを駆動することにより、ランプ駆動部および電源部に分配する冷却風の風量を変更可能とすることができる。
従って、シンプルな構成で、複数の発熱部位をエネルギー効率良く冷却できるプロジェクタを提供することができる。
【００１９】
（５）本発明のプロジェクタによれば、前記ランプ駆動部および前記電源部は、隣接して配置され、前記ファンは、前記ランプ駆動部および前記電源部に対向して配置され、前記分配部は、前記ファンの位置を、前記ランプ駆動部および前記電源部に相対する面に沿って移動させるリニアアクチュエータであり、当該リニアアクチュエータを駆動することにより、前記冷却風の風量を変更可能とすることが好ましい。
【００２０】
この構成によれば、分配部は、リニアアクチュエータであるので、リニアアクチュエータを駆動することにより、ランプ駆動部および電源部に分配する冷却風の風量を変更可能とすることができる。
従って、シンプルな構成で、複数の発熱部位をエネルギー効率良く冷却できるプロジェクタを提供することができる。
【００２１】
（６）本発明のプロジェクタによれば、前記ランプ駆動部および前記電源部は、隣接して配置され、前記ファンは、前記ランプ駆動部および前記電源部に対向して配置され、前記分配部は、前記ランプ駆動部および前記電源部と、前記ファンとの間に配置され、前記ランプ駆動部および前記電源部に相対する面に沿って移動されることにより、前記ファンの通風口の大きさを変更する仕切り板であり、当該仕切り板を移動させることにより、前記冷却風の風量を変更可能とすることが好ましい。
【００２２】
この構成によれば、分配部は、仕切り板であるので、仕切り板を移動させることにより、ランプ駆動部および電源部に分配する冷却風の風量を変更可能とすることができる。
例えば、仕切り板の位置を、ランプ駆動部と対向するファンの通風口の部分を、電源部と対向するファンの通風口の部分よりも大きくした場合には、電源部に分配される冷却風の一部がランプ駆動部に分配される。これにより、ランプ駆動部に分配する冷却風の風量を増加させることができる。一方、仕切り板の位置を、電源部と対向するファンの通風口の部分を、ランプ駆動部と対向するファンの通風口の部分よりも大きくした場合には、ランプ駆動部に分配される冷却風の一部が電源部に分配される。これにより、電源部に分配する冷却風の風量を増加させることができる。
従って、シンプルな構成で、複数の発熱部位をエネルギー効率良く冷却できるプロジェクタを提供することができる。
【００２３】
（７）本発明のプロジェクタは、前記光源部を冷却するファンと、前記光源部からの光を、画像を表す変調光に変調する光変調部を冷却するファンと、複数の前記ファンにより送風され、前記各部の熱量を奪った空気を外部に排出するファンとを備えることが好ましい。
【００２４】
前述した通り、プロジェクタにおける主要な発熱部位は、光源部、光変調部、電源部、およびランプ駆動部である。
この構成によれば、プロジェクタには、ランプ駆動部および電源部に冷却風を送風するファンと、光源部、光変調部という主な発熱部位に冷却風を送風するファンと、各部の熱量を奪った空気を外部に排出するファンとの、少なくとも合計４つのファンが備えられている。
よって、冷却ファンが７つ必要であった特許文献１のプロジェクタと異なり、本発明のプロジェクタは、４つのファンにより、主要な発熱部位を中心にプロジェクタ全体を効率良く冷却することができる。また、電源部と、ランプ駆動部とを冷却するファンは、分配部により両部に分配される風量を最適化することにより、回転数を抑えて騒音を低減している。
従って、動作音が静かで、複数の発熱部位をエネルギー効率良く冷却できるプロジェクタを提供することができる。
【発明を実施するための最良の形態】
【００２５】
以下、本発明の実施形態を図面に基づいて説明する。
【００２６】
（実施形態１）
《プロジェクタの概略構成》
図１は、本発明の実施形態１におけるプロジェクタの概略構成図である。ここでは、プロジェクタ１００の概略構成について説明する。なお、比較のため、従来のプロジェクタ２００と同一の部位については同一の番号を附して説明する。
プロジェクタ１００は、光源部５が放射した光を、赤色光、緑色光、青色光の光３原色成分に分離し、色光ごとに光変調素子としての各色光用の液晶ライトバルブ２３Ｒ，２３Ｇ，２３Ｂにより画像信号に応じて変調し、再度合成したフルカラーの変調光を投写レンズ５０によりスクリーンＳＣに拡大投写する、いわゆる「液晶３板式プロジェクタ」である。なお、液晶ライトバルブ２３Ｒ，２３Ｇ，２３Ｂは、それぞれが赤色光、緑色光、青色光用として設けられ、光学ユニット３５の構成に含まれている。
【００２７】
プロジェクタ１００は、光源部５、光学ユニット３５、投写レンズ５０、制御部５１、画像信号処理部５２、液晶パネル駆動部５３、記憶部５４、操作部５６、リモコン５７、操作受付け部５８、電源部４０、ランプ駆動部４５、ファンＦ１〜Ｆ５、ファン駆動部６０、分配調整部６１、分配部としてのルーバ６２などから構成されている。
【００２８】
光源部５は、高圧水銀ランプや、メタルハライドランプなどの放電ランプ１と、放電ランプ１が放射した光を集光し光学ユニット側に射出するリフレクタ３などを含んで構成されている。また、光源部５は、点灯に伴い発熱する放電ランプ１を備えているため、プロジェクタ１００における最大の発熱部位となっている。
光学ユニット３５は、光源部５から射出される光を輝度分布の安定した光に変換するインテグレータ照明光学系と、輝度分布の安定した光を光の３原色である赤色、緑色、青色の各色光成分に分離して各色光用の液晶ライトバルブ２３Ｒ，２３Ｇ，２３Ｂに供給する分離光学系と、当該液晶ライトバルブにて色光ごとに画像信号に応じて変調された各色光を、再度合成してフルカラーの変調光を生成する合成光学系などを含んで構成されている。なお、光学ユニット３５の詳細については、後述するが、光学ユニット３５内の液晶ライトバルブ２３Ｒ，２３Ｇ，２３Ｂを含む光変調部３０（図２）は、発熱部位となる。これは、当該部位には、光源部５からの光が照射されるため、光変調されなかった光が熱となるからである。
投写レンズ５０は、ズームレンズを含んで構成され、光学ユニット３５から射出されるフルカラーの変調光を拡大してスクリーンＳＣにフルカラー画像を投写する。
制御部５１は、ＣＰＵ（Central Processing Unit）であり、ファン駆動部６０、および分配調整部６１を含む各部とバスラインＢｕｓを介して信号のやり取りを行い、プロジェクタ１００を制御する。
【００２９】
画像信号処理部５２には、パーソナルコンピュータなどの外部の画像信号供給装置３５０から入力される画像信号をアナログ信号からデジタル信号に変換する画像コンバータや、スケーラおよびフレームメモリ（いずれも図示せず）などが含まれている。
画像信号処理部５２は、入力されるアナログＲＧＢ信号や、コンポーネント信号などのアナログ画像信号を画像コンバータによりＡＤ変換した後、スケーリングなどの画像処理を施す。
画像信号処理部５２は、画像信号により表される画像を当該画像信号の持つ解像度でＲＧＢの色光ごとにフレームメモリに書き込み、液晶ライトバルブ２３Ｒ，２３Ｇ，２３Ｂにて表示可能な解像度に変換して読み出すことにより、当該液晶ライトバルブに適した画像信号を生成する。また、スクリーンＳＣに投写された有効画像の形状を矩形に近づけるための台形補正処理も、スケーリングと合わせて行われる。
【００３０】
液晶パネル駆動部５３は、液晶パネルドライバであり、画像処理が施された画像信号と駆動電圧などを液晶ライトバルブ２３Ｒ，２３Ｇ，２３Ｂに供給し、当該液晶ライトバルブを駆動する。
記憶部５４は、例えば、マスクＲＯＭや、フラッシュメモリ、ＦｅＲＡＭなどの不揮発性のメモリにより構成されている。記憶部５４には、プロジェクタ１００を起動させるための順序と内容を規定した起動プログラムなどの当該プロジェクタの動作を制御するための様々なプログラムおよび付随するデータが記憶されている。
当該プログラムには、選択されたカラーモードに応じて放電ランプ１への駆動電力を調整する調光プログラムや、調光プログラムに同期して、ファンＦ４の駆動電圧およびルーバ６２の向きを調整するファン制御プログラムなどが含まれている。また、付属するデータには、カラーモードごとに規定された放電ランプ１への駆動電力、各ファンの駆動電圧、およびルーバ６２の駆動データ、パラメータなどが含まれている。
【００３１】
操作部５６は、プロジェクタ１００の本体上面に設けられており、プロジェクタ１００を操作するための複数の操作用ボタン（図示せず）を備えている。複数の操作用ボタンには、プロジェクタ１００を起動およびシャットダウンするための「電源ボタン」や、各種操作メニューを表示させるための「メニューボタン」、操作メニューから所望の操作を選択するための上下左右に選択可能な「方向キー」、選択した操作を実行するための「決定ボタン」などが含まれている。
また、操作メニューには、投写環境に合わせて設けられた複数のカラーモードを選択するための「カラーモード設定」項目が含まれている。カラーモードには、明るい室内で視聴するのに適したダイナミックモードや、照明を暗くした環境で深みのある画像を楽しむシアターモードが含まれている。
シアターモードが選択された場合は、低輝度時の第１の駆動電力が放電ランプ１に印加される。また、ダイナミックモードが選択された場合は、第１の駆動電力より大きな高輝度時の第２の駆動電力が印加される。プロジェクタ１００におけるカラーモードのイニシャル設定は、第２の駆動電力による高輝度のダイナミックモードである。
リモコン５７は、プロジェクタ１００を遠隔操作するためのリモコンであり、操作部５６と同様のプロジェクタ１００を操作するための複数の操作用ボタンを備えている。
【００３２】
操作受付け部５８は、操作部５６あるいはリモコン５７への操作がなされると、当該操作を受付け、制御部５１に各種動作のトリガとなる操作信号を送る。
電源部４０は、外部電源３５１からの交流電力をインレットから導き、内蔵するＡＣ／ＤＣ変換部（いずれも図示せず）にて変圧、整流および平滑するなどの処理を施すことにより安定化させた電力を、ランプ駆動部４５を含むプロジェクタ１００の各部に供給する。
また、電源部４０は、発熱部位であり、これは電力変換効率の関係上、有効な出力電圧に変換されなかった電力が熱となるからである。
ランプ駆動部４５は、放電ランプ１を点灯させるために高電圧を発生して放電経路を形成するイグナイタ回路と、点灯後の安定した点灯状態を維持するためのバラスト回路（いずれも図示せず）とを含んで構成されている。ランプ駆動部４５が放電ランプ１に供給する駆動電力の設定には、低輝度時の第１の駆動電力、および第１の駆動電力より大きい高輝度時の第２の駆動電力とがある。プロジェクタ１００の場合、第１の駆動電力が約１３５Ｗ、第２の駆動電力が約１７０Ｗの設定となっている。
また、ランプ駆動部４５も、電源部４０と同様に、発熱部位である。また、放電ランプ１の特性上、当該ランプを調光した場合であっても、放電状態を維持するために損失電力を含めて一定の電力量が必要であるため、発熱量はさほど変らない。
【００３３】
前述したようにプロジェクタ１００における主要な発熱部位は、光源部５、光変調部３０（図２）、電源部４０およびランプ駆動部４５となる。プロジェクタ１００では、電源部４０およびランプ駆動部４５は、隣接して配置されているので１部位とみなすと、各部位ごとに専用の冷却用のファンＦ１〜Ｆ４を備えていることになる。
ファンＦ１は、光源部５に冷却風を送風するためのシロッコファンである。ファンＦ２，Ｆ３は、光学ユニット３５の光変調部３０（図２）に冷却風を送風するためのシロッコファンである。なお、光変調部３０の冷却ファンは、２つであることに限定するものではない。例えば、１つのファンによる構成であっても良いし、液晶ライトバルブ２３Ｒ，２３Ｇ，２３Ｂごとに対応させた３つのファンを備えていても良い。
ファンＦ４は、電源部４０およびランプ駆動部４５に対向して配置され、電源部４０およびランプ駆動部４５に冷却風を送風するための軸流ファンである。
ファンＦ５は、各発熱部位の熱量を奪った空気を外部に排出するための軸流ファンである。なお、ファンＦ１〜Ｆ５の具体的な配置などについては後述する。
【００３４】
ファン駆動部６０は、制御部５１からの制御信号に従い、付属するファンＦ１〜 Ｆ５をそれぞれ回転駆動する駆動回路である。駆動回路は、例えば、出力バッファオペアンプ付きの５チャンネルＤＡコンバータと、ＤＡコンバータのチャンネルごとに出力される調整電圧に応じた駆動電圧を発生する５つの４端子レギュレータ（いずれも図示せず）などから構成される。ＤＡコンバータは、制御部５１から入力されるファンＦ１〜Ｆ５ごとの駆動電圧を規定した調整データに応じて、各チャンネルからそれぞれ対応する調整電圧を各４端子レギュレータに出力する。なお、駆動回路の構成は、上記構成に限定するものではない。たとえば、レギュレータの替わりにＤＣ／ＤＣコンバータを用いた構成であってもよい。
分配調整部６１は、パワートランジスタなどのスイッチング素子を含んだソレノイドの駆動回路であり、制御部５１からの駆動パルスに応じて、後述するロータリーソレノイド６５を駆動する。
なお、本実施形態では、分配制御部は、制御部５１と、分配調整部６１とにより構成されている。
本発明の特徴点である分配部としてのルーバ６２は、ファンＦ４の送風面に設けられ、複数の羽板６３（図２）の向きを変えるためのロータリーソレノイド６５（図３）が付属している。
【００３５】
《光学ユニットの概要》
図２は、本発明のプロジェクタにおける光学系および冷却構成を主体とした概略平面図である。ここでは、図２を用いて、プロジェクタ１００の光学ユニット３５を中心とした光学系について説明する。
光学ユニット３５は、均一照明系１０、分離光学系１４、リレー光学系１９、光変調部３０などから構成されている。
均一照明系１０は、２枚のフライアイレンズ６、偏光変換素子７と、２枚のコンデンサレンズ８、反射ミラー９などから構成されている。
フライアイレンズ６は、光源部５方向から見て略矩形形状の輪郭を有する小レンズがマトリクス状に配列された構成を有し、２枚で対となっている。対となった各小レンズは、光源部５から射出された光束を部分光束に分割し、光軸方向に射出する。各小レンズから射出された複数の光源像は、２枚のコンデンサレンズ８を介することにより、それぞれが液晶ライトバルブ２３Ｒ，２３Ｇ，２３Ｂ面にて結像される。これにより、液晶ライトバルブ２３Ｒ，２３Ｇ，２３Ｂ面における輝度分布は、均一化される。
【００３６】
偏光変換素子７は、ＰＢＳ（Polarization Beam Splitter）アレイと、１／２波長板などから構成され、ランダム偏光を特定の直線偏光に変換する。特定の直線偏光は、各液晶ライトバルブの入射面に設けられた入射偏光板（図示せず）に入射可能な偏光であるため、偏光変換素子７がない場合、入射偏光板を透過できずに熱として無駄に費やされてしまっていた光を有効に活用することができる。
光源部５から射出された光は、２枚のフライアイレンズ６、偏光変換素子７、およびコンデンサレンズ８を通過した後、反射ミラー９で反射され、コンデンサレンズ８を介して分離光学系１４側に射出される。また、均一照明系１０は、熱源である光源部５に近いこともあり、一定の熱を発するため、光源部５とともに冷却することが望ましい。
【００３７】
分離光学系１４は、ダイクロイックミラー１２、およびダイクロイックミラー１３を含んで構成されている。
ダイクロイックミラー１２は、ガラス板等にＲ光を反射し、Ｂ光およびＧ光を透過する性質のダイクロイック膜を形成した光学素子であり、Ｒ光を反射ミラー１５側に反射し、Ｂ光およびＧ光を透過する。反射ミラー１５で反射したＲ光は、平行化レンズ２０により平行化され液晶ライトバルブ２３Ｒに入射する。ダイクロイックミラー１２を透過したＢ光およびＧ光は、ダイクロイックミラー１３に入射する。
ダイクロイックミラー１３は、Ｇ光を反射しＢ光を透過する性質のダイクロイック膜を備えた光学素子であり、Ｇ光を液晶ライトバルブ２３Ｇ側に反射しＢ光を透過する。ダイクロイックミラー１３で反射したＧ光は、平行化レンズ２０により平行化され液晶ライトバルブ２３Ｇに入射する。ダイクロイックミラー１３を透過したＢ光は、リレー光学系１９に入射する。
【００３８】
リレー光学系１９は、２枚のリレーレンズ１７、２枚の反射ミラー１８などから構成されている。
ダイクロイックミラー１３を透過したＢ光は、リレーレンズ１７を介して反射ミラー１８で反射され、さらにリレーレンズ１７を介して反射ミラー１８で反射された後、平行化レンズ２０により平行化され液晶ライトバルブ２３Ｂに入射する。２つのリレーレンズ１７は、分離された３色光の中で最も長い光路を通過するＢ光の減衰を防ぐために設けられている。
【００３９】
光変調部３０は、各色光用の液晶ライトバルブ２３Ｒ，２３Ｇ，２３Ｂと、クロスダイクロイックプリズム２９などから構成されている。
液晶ライトバルブ２３Ｒ，２３Ｇ，２３Ｂは、略立方体形状をなしたクロスダイクロイックプリズム２９の３面に面して設けられている。各液晶ライトバルブにおける光の入射面には入射偏光板が、クロスダイクロイックプリズム２９に面した光の射出面には出射偏光板（いずれも図示せず）が、それぞれ設けられている。なお、出射偏光板は、クロスダイクロイックプリズム２９の各面にあらかじめ貼り付けられている構成であっても良い。
偏光変換素子７により偏光方向が揃えられているとは言え、光が略垂直に入射される入射偏光板は、透過できなかった光により発熱する。また、同様に、液晶ライトバルブ２３Ｒ，２３Ｇ，２３Ｂや、出射偏光板においても熱を発生するため、出射偏光板と密着しているクロスダイクロイックプリズム２９を含めた光変調部３０は、発熱部位となる。
液晶ライトバルブ２３Ｒ，２３Ｇ，２３Ｂは、解像度に応じた複数の画素を備えるアクティブマトリクス型の液晶表示素子である。
液晶ライトバルブ２３Ｒ，２３Ｇ，２３Ｂに入射した各色光は、それぞれの色光ごとの光学像を内包した各色変調光に変調され、それぞれクロスダイクロイックプリズム２９内に射出される。
【００４０】
合成光学系であるクロスダイクロイックプリズム２９は、４つの直角プリズムが貼り合わされた構造を成し、内部に、Ｂ光を反射する誘電体多層膜であるダイクロイック膜２７と、Ｒ光を反射する誘電体多層膜であるダイクロイック膜２８とがＸ字状に設けられている。
クロスダイクロイックプリズム２９は、液晶ライトバルブ２３Ｇからの緑色の変調光を透過し、当該緑色の変調光に液晶ライトバルブ２３Ｒからの赤色の変調光と、液晶ライトバルブ２３Ｂからの青色の変調光とを反射して重畳し、三原色の変調光を合成したフルカラーの画像を内包した変調光を投写レンズ５０に射出する。
クロスダイクロイックプリズム２９から射出された変調光は、ガウスタイプなどの複数のレンズを組合せた広角ズームレンズである投写レンズ５０により、スクリーンなどにフルカラーの画像として拡大投写される。
【００４１】
《冷却構成の概要》
ここでは、引き続き図２を用いて、プロジェクタ１００の冷却構成について説明する。
なお、図２における実線の矢印は、冷却風の流路を示している。
冷却用のファンＦ１〜 Ｆ４は、プロジェクタ１００における主要な発熱部位ごとに設けられている。主要な発熱部位は、光源部５と、光変調部３０と、電源部４０およびランプ駆動部４５とである。
ファンＦ１は、均一照明系１０の下側（ｚ軸プラス方向）に設けられたシロッコファンであり、プロジェクタ１００の底面に設けられた吸気口から防塵フィルタ（いずれも図示せず）を介して空気を吸気し、下側から光源部５を中心に、フライアイレンズ６および偏光変換素子７近傍にも冷却風が行き渡るように送風する。
ファンＦ２，Ｆ３は、送風口を光変調部３０側に向け、投写レンズ５０の側面にそれぞれ配置されている。ファンＦ２，Ｆ３は、ファンＦ１と共通の底面の吸気口から空気を吸気し、下側から光変調部３０全体に冷却風が行き渡るように送風する。
ファンＦ１〜 Ｆ３は、プロジェクタ１００の厚さ方向（ｚ軸方向）の空間を有効に利用して各発熱部位を冷却している。各発熱部位の熱を吸収し熱せられた空気は、それぞれ排気用のファンＦ５側に導かれ、プロジェクタ１００の外部に排出される。
【００４２】
ファンＦ４は、軸流ファンであり、隣接して設けられた電源部４０およびランプ駆動部４５の吸気面４０ｄ，４５ｄと、送風面Ｆ４ｊとが相対するように配置されている。
電源部４０およびランプ駆動部４５は、昇圧チョッパ回路などの高電圧回路を含んだ回路基板（図示せず）を主体としているため、高電圧による電磁ノイズが外部に漏れないように、金属材料から構成された箱状のシールド性を確保した個体を備えている。当該個体における吸気面４０ｄ，４５ｄ、および送風面４０ｈ，４５ｈは、金属網、または、複数のスリットによる網状に設けられており、ファンＦ４による冷却風をスムーズに導入および排出できる構成となっている。
ファンＦ４の吸気面Ｆ４ｉは、プロジェクタ１００の後方面（ｙ軸マイナス方向）に設けられた吸気口（図示せず）に面している。また、吸気口には吸塵用のフィルタ（図示せず）が設けられている。
【００４３】
ファンＦ４と、電源部４０およびランプ駆動部４５の吸気面４０ｄ，４５ｄとの間には、本発明の特徴であるルーバ６２が設けられている。
ルーバ６２は、分配部であり、ファンＦ４の送風面Ｆ４ｊに設けられた複数の羽板６３を有している。
ファンＦ４が送風する冷却風Ｗａは、複数の羽板６３の向きに応じて、電源部４０の冷却風Ｗ１と、ランプ駆動部４５の冷却風Ｗ２とに分配される。
冷却風Ｗ１および冷却風Ｗ２は、それぞれ電源部４０およびランプ駆動部４５の熱を吸収した後、排気用のファンＦ５側に導かれ、プロジェクタ１００の外部に排出される。
【００４４】
《分配部の態様》
図３（ａ）は、低輝度設定時における分配部の一態様を示す図である。図３（ｂ）は、高輝度設定時における分配部の一態様を示す図である。
ここでは、本発明の特徴点であるルーバ６２の態様について、図３（ａ），（ｂ）を中心に適宜図１を交えて説明する。
リモコン５７により、シアターモードを選択する操作がなされると、記憶部５４の調光プログラムが実行され、ランプ駆動部４５から放電ランプ１へ第１の駆動電力が供給され、低輝度状態となる。また、同期してファン制御プログラムが実行され、ファン駆動部６０によりファンＦ４の駆動電圧が下げられ、分配調整部６１に駆動パルスが送信される。
分配調整部６１は、駆動パルスに応じてルーバ６２のロータリーソレノイド６５を駆動する。ロータリーソレノイド６５が駆動すると、当該ロータリーソレノイドに接続された駆動ベルト６４、および当該駆動ベルトに接続された複数の羽板６３が連動し、複数の羽板６３は、ランプ駆動部４５側の定められた方向を向くことになる。
この状態が、図３（ａ）に示されている。当該状態においては、複数の羽板６３がランプ駆動部４５側に向いているため、ランプ駆動部４５の冷却風Ｗ２の方が、電源部４０の冷却風Ｗ１よりも、風量が多くなっている。
【００４５】
同様に、図３（ｂ）には、ダイナミックモードが選択された場合におけるルーバ６２の態様が示されている。
ダイナミックモードが選択され、ランプ駆動部４５からの第２の駆動電力の印加により放電ランプ１が高輝度状態となった場合、ファンＦ４の駆動電圧が上げられるとともに、ルーバ６２の複数の羽板６３は、電源部４０側の定められた方向を向く。なお、定められた方向は、記憶部５４に記憶された付属データ内の駆動データおよびパラメータにより規定されており、これらの情報は、電源部４０およびランプ駆動部４５の温度特性を鑑みた上で、設計段階にあらかじめ設定されている。
この状態においては、複数の羽板６３が電源部４０側に向いているため、電源部４０の冷却風Ｗ１の方が、ランプ駆動部４５の冷却風Ｗ２よりも、風量が多くなっている。
このように、分配制御部は、光源部５の駆動電力が大きくなるほど、電源部４０に分配される冷却風の風量を増加するように分配部を駆動制御する。すなわち、分配調整部６１は、各駆動電力量において温度が高くなっている部位への冷却風の風量を増やしている。
【００４６】
図４は、本発明のプロジェクタにおける光源部の駆動電力（輝度）に応じた電源部およびランプ駆動部の温度状況などを示したグラフである。
グラフｍは、図９のグラフｇと同様の目盛軸により構成されており、ここでは、グラフｍと、グラフｇとを比較しながら説明する。
シアターモードが選択され、光源部５に第１の駆動電力が印加されて低輝度となっている場合、ルーバ６２によりランプ駆動部４５に分配される冷却風Ｗ２の風量の割合を増やしているため、ランプ駆動部４５の冷却効率が上がる。これにより、グラフｍに示すように、ファンＦ４の駆動電圧を下げた場合であってもランプ駆動部４５を十分に冷却することができる。なお、グラフｍは、ファンＦ４の駆動電圧を下げた状態におけるランプ駆動部４５の温度状態を示している。具体的には、ファンＦ４の駆動電圧は、グラフｇにおいては、約７．５Ｖであったが、グラフｍにおいては、約６．５Ｖである。
また、電源部４０の温度は、ルーバ６２によりランプ駆動部４５に分配される冷却風Ｗ２の風量の割合を増やすとともに、ファンＦ４の駆動電圧を下げていることから、風量が減少しているので、過冷却気味の状態であったグラフｇの温度と比べて高くなっているが、十分、定格温度内である。したがって、グラフｍにおいては、ランプ駆動部４５と、電源部４０との温度差が小さくなっている。
【００４７】
同様に、ダイナミックモードが選択され、光源部５に第２の駆動電力が印加されて高輝度となっている場合、ルーバ６２により電源部４０に分配される冷却風Ｗ１の風量の割合を増やしているため、電源部４０の冷却効率が上がる。これにより、グラフｍに示すように、ファンＦ４の駆動電圧を下げた場合であっても電源部４０を十分に冷却することができる。具体的には、ファンＦ４の駆動電圧は、グラフｇにおいては、約９Ｖであったが、グラフｍにおいては、約８Ｖである。
また、ランプ駆動部４５の温度は、ルーバ６２により電源部４０に分配される冷却風Ｗ１の風量の割合を増やすとともに、ファンＦ４の駆動電圧を下げていることから、風量が減少しているので、過冷却気味の状態であったグラフｇの温度と比べて高くなっているが、十分、定格温度内である。したがって、グラフｍにおいては、電源部４０と、ランプ駆動部４５との温度差が小さくなっている。
このように、電源部４０の冷却風Ｗ１と、ランプ駆動部４５の冷却風Ｗ２との風量のバランスを、電源部４０およびランプ駆動部４５の温度特性に合わせて最適化することにより、低輝度および高輝度におけるファンＦ４の駆動電圧を下げている。
なお、ここまで駆動電力が２段階の場合について説明したが、３段階以上の複数段階ある場合であっても、電源部４０およびランプ駆動部４５の温度特性に合わせて同様な風量分配を行うことができる。
【００４８】
上述した通り、本実施形態によれば以下の効果が得られる。
（１）電源部４０の温度特性は放電ランプ１の駆動電力（輝度）に略比例した特性を示し、ランプ駆動部４５の温度特性は放電ランプ１の駆動電力（輝度）に略反比例した特性を示す。このため、放電ランプ１の駆動電力が低いときに、ランプ駆動部４５に分配する冷却風の風量を増やすことができれば、ファンＦ４の回転数を下げることができる。同様に、放電ランプ１の駆動電力が高いときには、電源部４０に分配する冷却風の風量を増やすことにより、ファンＦ４の回転数を下げることができる。
プロジェクタ１００は、放電ランプ１の駆動電力（輝度）に応じて、ルーバ６２における複数の羽板６３の向きを変化させることにより、ファンＦ４による冷却風Ｗａの風量を、電源部４０の冷却風Ｗ１と、ランプ駆動部４５の冷却風Ｗ２とに分配する。
そして、電源部４０の冷却風Ｗ１と、ランプ駆動部４５の冷却風Ｗ２との風量のバランスは、電源部４０およびランプ駆動部４５の温度特性に合わせて最適化されることから、ファンＦ４による冷却風Ｗａの総風量を抑えることが可能となり、ファンＦ４の回転数を下げることができる。これにより、騒音レベルが低くなるとともに、ファンＦ４の駆動電力を下げることができる。
【００４９】
具体的には、図４のグラフｍにおいて、放電ランプ１が低輝度の場合におけるファンＦ４の駆動電圧は約６．５Ｖであり、従来のプロジェクタ２００における約７．５Ｖ（図９、グラフｇ参照）よりも低くなっている。同様に、放電ランプ１が高輝度の場合におけるファンＦ４の駆動電圧は約８Ｖであり、従来のプロジェクタ２００における約９Ｖ（図９、グラフｇ参照）よりも低くなっている。
従って、動作音が静かで、複数の発熱部位をエネルギー効率良く冷却できるプロジェクタ１００を提供することができる。
【００５０】
（２）分配調整部６１は、第１の駆動電力が放電ランプ１に印加され低輝度となっているときには、ランプ駆動部４５に分配される冷却風Ｗ２の風量を増やすようにロータリーソレノイド６５を駆動制御し、第２の駆動電力が放電ランプ１に印加され高輝度となっているときには、電源部４０に分配される冷却風Ｗ１の風量を増やすようにロータリーソレノイド６５を駆動制御している。すなわち、分配調整部６１は、各駆動電力量において温度が高くなっている部位への冷却風の風量を増やしている。
よって、ファンＦ４の回転数を下げても、ファンＦ４による冷却風Ｗａの総風量を有効に活用して必要な冷却能力を確保することができる。さらに、ファンＦ４の回転数を下げられることから、騒音レベルが低くなるとともに、消費電力を削減することができる。
従って、動作音が静かで、複数の発熱部位をエネルギー効率良く冷却できるプロジェクタ１００を提供することができる。
【００５１】
（３）分配部が、複数の羽板６３を有するルーバ６２であるので、複数の羽板６３の向きを変更することにより、ランプ駆動部４５および電源部４０に分配する冷却風の風量を変更可能とすることができる。
従って、シンプルな構成で、複数の発熱部位をエネルギー効率良く冷却できるプロジェクタ１００を提供することができる。
【００５２】
（４）プロジェクタ１００には、ランプ駆動部４５および電源部４０の１部位、光源部５、光変調部３０という主な発熱部位に冷却風を送風するファンＦ１〜Ｆ４と、各部の熱量を奪った空気を外部に排出するファンＦ５との、少なくとも合計５つのファンが備えられている。また、光変調部３０における２つのファンＦ２，Ｆ３を１つに集約することにより、合計４つのファンによる構成とすることもできる。
よって、冷却ファンが７つ必要であった特許文献１のプロジェクタと異なり、本発明のプロジェクタは、５つ（または、４つ）のファンにより、主要な発熱部位を中心にプロジェクタ１００全体を効率良く冷却することができる。また、電源部４０とランプ駆動部４５とを冷却するファンＦ４は、ルーバ６２により両部に分配される風量を最適化することにより、回転数を抑えて騒音を低減している。
従って、動作音が静かで、複数の発熱部位をエネルギー効率良く冷却できるプロジェクタ１００を提供することができる。
【００５３】
（実施形態２）
《分配部の異なる態様》
図５（ａ）、図６（ａ）は、低輝度設定時における分配部の異なる態様を示す図である。図５（ｂ）、図６（ｂ）は、高輝度設定時における分配部の異なる態様を示す図である。ここでは、プロジェクタ１００における分配部の異なる態様について、図５（ａ），（ｂ）、および図６（ａ），（ｂ）中心に適宜図１を交えて説明する。
【００５４】
図５（ａ），（ｂ）におけるＲソレノイド７２は、実施形態１の分配部とは異なる態様の分配部であり、ファンＦ４の姿勢を調整するロータリーソレノイドである。なお、実施形態１におけるルーバ６２のロータリーソレノイド６５と区別するためＲソレノイド７２と称するが、分配調整部６１により駆動される。
Ｒソレノイド７２は、ファンＦ４の略中央下部に配置され、回転軸７３が、ファンＦ４のケースなどの外装部材に取り付けられている。この構成により、Ｒソレノイド７２が分配調整部６１により駆動されると、回転軸７３の回転に連動してファンＦ４も向きを変える。
具体的には、シアターモードが選択され、放電ランプ１への駆動電力が低くなり低輝度状態となった場合、ファンＦ４の駆動電圧が下げられるとともに、Ｒソレノイド７２が駆動され、ファンＦ４の送風面Ｆ４ｊがランプ駆動部４５側の定められた方向を向くことになる。
この状態が、図５（ａ）に示されている。当該状態においては、ファンＦ４の送風面Ｆ４ｊがランプ駆動部４５側に向いているため、ランプ駆動部４５の冷却風Ｗ２の方が、電源部４０の冷却風Ｗ１よりも、風量が多くなっている。
【００５５】
同様に、図５（ｂ）には、ダイナミックモードが選択された場合におけるＲソレノイド７２の態様が示されている。
ダイナミックモードが選択され、放電ランプ１への駆動電力が高くなり高輝度状態となった場合、ファンＦ４の駆動電圧が上げられるとともに、ファンＦ４の送風面Ｆ４ｊが電源部４０側の定められた方向を向くことになる。なお、定められた方向は、記憶部５４に記憶された付属データ内の駆動データおよびパラメータにより規定されており、これらの情報は、電源部４０およびランプ駆動部４５の温度特性を鑑みた上で、設計段階にあらかじめ設定されている。
この状態においては、ファンＦ４の送風面Ｆ４ｊが電源部４０側に向いているため、電源部４０の冷却風Ｗ１の方が、ランプ駆動部４５の冷却風Ｗ２よりも、風量が多くなっている。
【００５６】
図６（ａ），（ｂ）におけるリニアアクチュエータ８２は、実施形態１の分配部および前述のＲソレノイド７２とは異なる態様の分配部であり、ファンＦ４の位置を、ランプ駆動部４５および電源部４０に相対する面に沿って移動させるものである。なお、リニアアクチュエータ８２は、分配調整部６１により駆動される。
リニアアクチュエータ８２は、ファンＦ４の横に配置され、伸縮軸８３がファンＦ４のケースなどの外装部材に取り付けられている。この構成により、リニアアクチュエータ８２が分配調整部６１により駆動されると、伸縮軸８３の伸縮に連動してファンＦ４の位置が電源部４０およびランプ駆動部４５に相対する面に沿って移動する。
具体的には、シアターモードが選択され、放電ランプ１への駆動電力が低くなり低輝度状態となった場合、ファンＦ４の駆動電圧が下げられるとともに、リニアアクチュエータ８２が駆動され、伸縮軸８３の移動に伴いファンＦ４の位置がランプ駆動部４５側に所定の長さ移動する。
この状態が、図６（ａ）に示されている。当該状態においては、ファンＦ４の送風面Ｆ４ｊの大半がランプ駆動部４５の吸気面４５ｄ側に掛かっているため、ランプ駆動部４５の冷却風Ｗ２の方が、電源部４０の冷却風Ｗ１よりも、風量が多くなっている。
【００５７】
同様に、図６（ｂ）には、ダイナミックモードが選択された場合におけるリニアアクチュエータ８２の態様が示されている。
ダイナミックモードが選択され、放電ランプ１への駆動電力が高くなり高輝度状態となった場合、ファンＦ４の駆動電圧が上げられるとともに、リニアアクチュエータ８２が駆動され、ファンＦ４の位置が電源部４０側に所定の長さ移動する。なお、所定の長さは、記憶部５４に記憶された付属データ内の駆動データおよびパラメータにより規定されており、これらの情報は、電源部４０およびランプ駆動部４５の温度特性を鑑みた上で、設計段階にあらかじめ設定されている。
この状態においては、ファンＦ４の送風面Ｆ４ｊの大半が電源部４０の吸気面４０ｄ側に掛かっているため、電源部４０の冷却風Ｗ１の方が、ランプ駆動部４５の冷却風Ｗ２よりも、風量が多くなっている。
【００５８】
上述した通り、本実施形態によれば実施形態１における効果に加えて、以下の効果が得られる。
（１）分配部は、Ｒソレノイド７２であるので、Ｒソレノイド７２を駆動することにより、ランプ駆動部４５および電源部４０に分配する冷却風の風量を変更可能とすることができる。
従って、シンプルな構成で、複数の発熱部位をエネルギー効率良く冷却できるプロジェクタ１００を提供することができる。
【００５９】
（２）分配部は、リニアアクチュエータ８２であるので、リニアアクチュエータ８２を駆動することにより、ランプ駆動部４５および電源部４０に分配する冷却風の風量を変更可能とすることができる。
従って、シンプルな構成で、複数の発熱部位をエネルギー効率良く冷却できるプロジェクタ１００を提供することができる。
【００６０】
（実施形態３）
《分配部の異なる態様》
また、図１０は、分配部の異なる態様における側面図である。ここでは、図１０を用いてプロジェクタ１００の分配部の異なる態様について説明する。なお、図１０は、ファンＦ４を吸気面Ｆ４ｉ側から観察している。
図１０における仕切り板９２は、実施形態１の分配部および前述のＲソレノイド７２およびリニアアクチュエータ８２とは異なる態様の分配部であり、ランプ駆動部４５および電源部４０と、ファンＦ４との間、すなわち、送風面Ｆ４ｊ側に設けられる。また、仕切り板９２の略中央部分には、ファンＦ４の送風面Ｆ４ｊと略同じ大きさの開口部９３が形成されている。
仕切り板９２の横には、リニアアクチュエータ（図示省略）が配置され、このリニアアクチュエータの伸縮軸は、仕切り板９２に取り付けられている。なお、リニアアクチュエータは、分配調整部６１により駆動される。
なお、本実施形態では、分配部は、仕切り板９２と、リニアアクチュエータとにより構成されている。
リニアアクチュエータは、仕切り板９２の位置を、ランプ駆動部４５および電源部４０に相対する面に沿って、ランプ駆動部４５または電源部４０の方向、すなわち、左右方向（ｘ軸方向）に移動させる。これにより、開口部９３のファンＦ４に対する位置が変るので、仕切り板９２は、ファンＦ４の通風口Ｆ４ｋの大きさを変更することができる。
なお、本実施形態では、仕切り板９２は、リニアアクチュエータにより移動させているが、本発明はこれに限定されるものではない。例えば、サーボモータと、ラックおよびピニオンギヤを用いたラックアンドピニオンによる構成とし、サーボモータを、分配調整部６１により駆動しても良い。
【００６１】
図１０に示される状態においては、仕切り板９２の位置を、ランプ駆動部４５と対向するファンＦ４の通風口Ｆ４ｋの部分を、電源部４０と対向するファンＦ４の通風口Ｆ４ｋの部分よりも大きくした場合には、電源部４０に分配される冷却風Ｗ１の一部がランプ駆動部４５に分配される。これにより、ランプ駆動部４５に分配される冷却風Ｗ２の方が、電源部４０に分配される冷却風Ｗ１よりも、風量が多くなっている。
また、同様に、仕切り板９２の位置を、電源部４０側に移動させることにより、電源部４０の冷却風Ｗ１の風量を、ランプ駆動部４５の冷却風Ｗ２よりも多くすることができる。
上述した通り、本実施形態によれば実施形態１における効果に加えて、以下の効果が得られる。
すなわち、分配部は、仕切り板９２であるので、仕切り板９２を移動させることにより、ランプ駆動部４５および電源部４０に分配する冷却風の風量を変更可能とすることができる。
従って、シンプルな構成で、複数の発熱部位をエネルギー効率良く冷却できるプロジェクタ１００を提供することができる。
【００６２】
なお、本発明は上述した実施形態に限定されず、上述した実施形態に種々の変更や改良などを加えることが可能である。変形例を以下に述べる。
【００６３】
（変形例１）
図７を用いて説明する。前記実施形態３において、仕切り板９２は、ランプ駆動部４５および電源部４０と、ファンＦ４との間、すなわち、送風面Ｆ４ｊ側に設けられていたが、吸気面Ｆ４ｉ側に設けられていてもよい。
この構成であっても、前記実施形態３と同様な作用効果を得ることができる。
【００６４】
（変形例２）
図１を用いて説明する。前記各実施形態において、プロジェクタ１００は、光変調素子として３枚の液晶ライトバルブ２３Ｒ，２３Ｇ，２３Ｂを用いた液晶３板式の投写型プロジェクタとして説明したが、これに限定するものではなく、放電ランプ１を備えたプロジェクタであれば良い。
例えば、プロジェクタは、赤、緑、青色のカラーフィルタが規則的に格子状に配置され、１枚でフルカラーの変調光を射出することが可能な単板の液晶ライトバルブを用いる構成であっても良い。また、反射型液晶表示装置や、ティルトミラーデバイスを用いる構成としても良い。また、このような光変調素子と、スクリーンとを備えたプロジェクタであるリアプロジェクタであっても良い。
これらの構成であっても、前記実施形態および変形例と同様な作用効果を得ることができる。
【００６５】
（変形例３）
図１および図４を用いて説明する。前記実施形態１において、プロジェクタ１００には、電源部４０およびランプ駆動部４５ごとの温度を測定する温度センサを含む温度検出部を追加し、さらに記憶部５４には、当該温度センサが測定する温度と当該温度に対応したファンＦ４の最適な駆動電圧とを規定した駆動電圧調整テーブルを記憶させた構成であっても良い。
この構成によれば、プロジェクタ１００の設置されている温度状況などの影響により、電源部４０およびランプ駆動部４５の温度が、図４のグラフｍと異なる状況となった場合であっても、測定された各部位の温度状況に応じて、最適な駆動電圧による冷却が可能となる。また、温度センサを光源部５などのその他の発熱部位にも設置することにより、対応する冷却用のファンＦ１〜Ｆ３を、それぞれ最適な駆動電圧により冷却する構成であっても良い。
【００６６】
（変形例４）
図２を用いて説明する。前記各実施形態において、ファンＦ４は、電源部４０およびランプ駆動部４５に冷却風を送風していたが、これとは逆に、電源部４０およびランプ駆動部４５の熱量を奪った空気を吸気して吐出するようにしてもよい。
また、前記各実施形態において、電源部４０およびランプ駆動部４５は、隣接して配置されていたが、離間して配置されていてもよい。また、分配部は、ルーバ６２、Ｒソレノイド７２、リニアアクチュエータ８２、および仕切り板９２を採用していたが、これ以外の構成、例えばファンによる冷却風の方向を変更するダクトなどを採用してもよい。要するに、電源部４０と、ランプ駆動部４５とにファンＦ４による冷却風の風量を分配するとともに、電源部４０およびランプ駆動部４５に分配する風量を変更可能とすることができればよい。
【図面の簡単な説明】
【００６７】
【図１】実施形態１におけるプロジェクタの概略構成図。
【図２】プロジェクタの光学系および冷却構成を主体とした概略平面図。
【図３】（ａ）低輝度設定時における分配部の一態様を示す図、（ｂ）高輝度設定時における分配部の一態様を示す図。
【図４】本発明のプロジェクタにおける光源部の駆動電力（輝度）に応じた、電源部およびランプ駆動部の温度状況などを示したグラフ。
【図５】（ａ）低輝度設定時における分配部の異なる態様を示す図、（ｂ）高輝度設定時における分配部の異なる態様を示す図。
【図６】（ａ）低輝度設定時における分配部の異なる態様を示す図、（ｂ）高輝度設定時における分配部の異なる態様を示す図。
【図７】分配部の異なる態様における側面図。
【図８】従来のプロジェクタにおける冷却構成を主体とした概略平面図。
【図９】従来のプロジェクタにおける光源部の駆動電力（輝度）に応じた、電源部およびランプ駆動部の温度状況などを示したグラフ。
【図１０】実施形態３における分配部の異なる態様における側面図。
【符号の説明】
【００６８】
１…光源としての放電ランプ、５…光源部、２３Ｒ，２３Ｇ，２３Ｂ…光変調素子としての液晶ライトバルブ、３０…光変調部、４０…電源部、４５…ランプ駆動部、５１…制御部、６０…ファン駆動部、６１…分配調整部、６２…分配部としてのルーバ、７２…分配部としてのＲソレノイド、８２…分配部としてのリニアアクチュエータ、９２…分配部としての仕切り板、１００…プロジェクタ、Ｆ１〜Ｆ５…ファン、Ｗａ，Ｗ１，Ｗ２…冷却風。
【図１】
2007256920.tif 000003
【図２】
2007256920.tif 000004
【図３】
2007256920.tif 000005
【図４】
2007256920.tif 000006
【図５】
2007256920.tif 000007
【図６】
2007256920.tif 000008
【図７】
2007256920.tif 000009
【図８】
2007256920.tif 000010
【図９】
2007256920.tif 000011
【図１０】
2007256920.tif 000012